(57)【特許請求の範囲】
【請求項１】
印刷データを生成し、外部に送信する手段を備えた情報処理装置と、該情報処理装置で生成された印刷データに基づくページイメージを印刷する印刷装置とを含む印刷システムにおいて、
前記情報処理装置が、
前記印刷データを印刷データ一時保存ファイルとして一時保存する保存手段と、
前記保存手段により一時保存されている印刷データのページ単位に含まれる描画オブジェクトの特性を示すインデックスを生成するインデックス生成手段と、
前記インデックス生成手段により生成されたインデックスと解像度判定条件とに基づいて解像度を低下させるかどうかの判定を行う解像度判定手段と、
前記解像度判定手段により前記解像度判定条件に合致した場合に、解像度低下コマンドを前記印刷データに挿入する挿入手段と、
前記挿入手段により解像度低下コマンドが挿入された印刷データを前記印刷装置で印刷すべく送信する送信手段とを備え、
前記印刷装置が、
前記情報処理装置から送信された印刷データを受信する受信手段と、
前記受信手段により受信された印刷データを解釈し、解像度低下コマンドを受信したかを判定するコマンド解釈手段と、
前記コマンド解釈手段により解像度低下コマンドを受信したと判定された場合に、解像度低下状態で印刷処理を行う印刷処理手段とを備えたことを特徴とする印刷システム。
【請求項２】
前記インデックスは、前記印刷データに含まれる描画オブジェクトの種別および色で分けたデータサイズを示すことを特徴とする請求項１記載の印刷システム。
【請求項３】
前記情報処理装置は、前記印刷装置から前記解像度判定条件を取得する解像度判定条件入手手段を更に備え、
前記印刷装置は、前記解像度判定条件を前記情報処理装置に送信する解像度判定条件送信手段を更に備えることを特徴とする請求項１または２に記載の印刷システム。
【請求項４】
印刷データを生成し、外部に送信する手段を備えた情報処理装置と、該情報処理装置で生成された印刷データに基づくページイメージを印刷する印刷装置とを含む印刷システムの制御方法であって、
前記情報処理装置において、
前記印刷データを印刷データ一時保存ファイルとして一時保存する保存工程と、
前記保存工程により一時保存されている印刷データのページ単位に含まれる描画オブジェクトの特性を示すインデックスを生成するインデックス生成工程と、
前記インデックス生成工程により生成されたインデックスと解像度判定条件とに基づいて解像度を低下させるかどうかの判定を行う解像度判定工程と、
前記解像度判定工程により前記解像度判定条件に合致した場合に、解像度低下コマンドを前記印刷データに挿入する挿入工程と、
前記挿入工程により解像度低下コマンドが挿入された印刷データを前記印刷装置で印刷すべく送信する送信工程とを備え、
前記印刷装置において、
前記情報処理装置から送信された印刷データを受信する受信工程と、
前記受信工程により受信された印刷データを解釈し、解像度低下コマンドを受信したかを判定するコマンド解釈工程と、
前記コマンド解釈工程により解像度低下コマンドを受信したと判定された場合に、解像度低下状態で印刷処理を行う印刷処理工程とを備えたことを特徴とする印刷システムの制御方法。
【請求項５】
前記インデックスは、前記印刷データに含まれる描画オブジェクトの種別および色で分けたデータサイズを示すことを特徴とする請求項４記載の印刷システムの制御方法。
【請求項６】
前記情報処理装置において、前記印刷装置から前記解像度判定条件を取得する解像度判定条件入手工程を更に備え、
前記印刷装置おいて、前記解像度判定条件を前記情報処理装置に送信する解像度判定条件送信工程を更に備えることを特徴とする請求項４または５に記載の印刷システムの制御方法。
【発明の詳細な説明】
【０００１】
【発明の属する技術分野】
本発明は、パーソナルコンピュータ等の情報処理装置と印刷装置を備えたシステムにおける印刷装置及びその印刷解像度の制御方法に関するものである。
【０００２】
【従来の技術】
従来、印刷装置における印刷解像度の制御方法は、この機構を印刷装置本体に持っているため、印刷解像度を落とす必要があるのかどうかを印刷装置で判断する際、印刷データの受け付け処理を行うまで判定することができない。
【０００３】
【発明が解決しようとする課題】
このため、実際に印刷解像度を落とす必要が生じた場合には、それまでに行なった処理を無効にし、再び受信したデータすべてを対象に、落とされた解像度によりページイメージを生成する必要がある。このため印刷解像度を落とす必要が生じた場合には、高速な印刷出力ができないという欠点があった。
【０００４】
そこで本発明は、情報処理装置より受信した印刷データに応じてページイメージを生成する処理に先立って、迅速に印刷解像度を変更することが可能な印刷システム及びその制御方法の提供を目的とする。
【０００６】
また、前述の課題解決のための本発明の他の構成として、印刷データを生成し、外部に送信する手段を備えた情報処理装置と、該情報処理装置で生成された印刷データに基づくページイメージを印刷する印刷装置とを含む印刷システムにおいて、
前記情報処理装置が、
前記印刷データを印刷データ一時保存ファイルとして一時保存する保存手段と、
前記保存手段により一時保存されている印刷データのページ単位に含まれる描画オブジェクトの特性を示すインデックスを生成するインデックス生成手段と、
前記インデックス生成手段により生成されたインデックスと解像度判定条件とに基づいて解像度を低下させるかどうかの判定を行う解像度判定手段と、
前記解像度判定手段により前記解像度判定条件に合致した場合に、解像度低下コマンドを前記印刷データに挿入する挿入手段と、
前記挿入手段により解像度低下コマンドが挿入された印刷データを前記印刷装置で印刷すべく送信する送信手段とを備え、
前記印刷装置が、
前記情報処理装置から送信された印刷データを受信する受信手段と、
前記受信手段により受信された印刷データを解釈し、解像度低下コマンドを受信したかを判定するコマンド解釈手段と、
前記コマンド解釈手段により解像度低下コマンドを受信したと判定された場合に、解像度低下状態で印刷処理を行う印刷処理手段とを備えたことを特徴とする。
【０００８】
また、上述の課題を解決するための本発明の他の構成として、印刷データを生成し、外部に送信する手段を備えた情報処理装置と、該情報処理装置で生成された印刷データに基づくページイメージを印刷する印刷装置とを含む印刷システムの制御方法であって、
前記情報処理装置において、
前記印刷データを印刷データ一時保存ファイルとして一時保存する保存工程と、
前記保存工程により一時保存されている印刷データのページ単位に含まれる描画オブジェクトの特性を示すインデックスを生成するインデックス生成工程と、
前記インデックス生成工程により生成されたインデックスと解像度判定条件とに基づいて解像度を低下させるかどうかの判定を行う解像度判定工程と、
前記解像度判定工程により前記解像度判定条件に合致した場合に、解像度低下コマンドを前記印刷データに挿入する挿入工程と、
前記挿入工程により解像度低下コマンドが挿入された印刷データを前記印刷装置で印刷すべく送信する送信工程とを備え、
前記印刷装置において、
前記情報処理装置から送信された印刷データを受信する受信工程と、
前記受信工程により受信された印刷データを解釈し、解像度低下コマンドを受信したかを判定するコマンド解釈工程と、
前記コマンド解釈工程により解像度低下コマンドを受信したと判定された場合に、解像度低下状態で印刷処理を行う印刷処理工程とを備えたことを特徴とする。
【００１７】
【発明の実施の形態】
以下、図面を参照して本発明の実施形態を説明する。
【００１８】
まず、本発明を適用したシステムの構成を説明する。
【００１９】
図１は、本発明を適用したハードウエアの構成図である。
【００２０】
図中、情報処理装置１と印刷装置２がセントロＩ／Ｆ接続３を介して接続されている。
【００２１】
図２は、本発明を適用したハードウエア内部のブロック構成図である。
【００２２】
図中、情報処理装置１は、データ処理装置２１、入力装置２２、ＣＲＴ２５及び補助記憶装置２６を備えており、データ処理装置２１は内部にＲＡＭ２３、ＣＰＵ２４を備えている。印刷装置２は、ＲＯＭ２８、ＲＡＭ２９、ＣＰＵ３０、情報処理装置１からセントロＩ／Ｆ接続３を介して受信した印刷データを紙面に実際に出力するための処理を行うコントローラ３１と、紙の搬送、実際の印刷等を行うエンジン３２を備えている。
【００２３】
＜第１の実施形態＞
次に本発明の第１の実施形態としてのソフトウエアについて説明する。
【００２４】
図３は、本発明の第１の実施形態としてのハードウエア内部の機能構成図である。
【００２５】
図中、情報処理装置１は、印刷処理手段として印刷データ生成手段５２、印刷データ一時保存手段５３、印刷データ転送手段５４、印刷データ一時保存ファイル５８、印刷データ検索手段５５、インデックス生成手段５６、インデックス挿入手段５７、インデックス挿入後の印刷データ一時保存ファイル５９を備えている。一方、印刷装置２は、データ転送手段６０を介して情報処理装置１から印刷データの一部として送付されてきたインデックスに基づいた印刷解像度判定手段５１を備えている。
【００２６】
図４は、本発明の第１の実施形態としての印刷データ一時保存ファイルに保存される印刷データ例を示す図である。
【００２７】
図４は、情報処理装置１において図３の印刷データ生成手段５２により生成され、印刷データ一時保存手段５３により印刷データ一時保存ファイル５８に一時保存されたファイルの内容を示しており、図中、［ジョブ開始命令］、［印刷環境設定命令群］等はファイル中の印刷データを便宣的に判りやすくするための標記であり、実際はバイナリ形式で格納されている。
【００２８】
図５は、本発明の第１の実施形態としての印刷データの検索の結果生成されるインデックス例を示す図である。
【００２９】
図５は、情報処理装置１において図３の印刷データ検索手段５５により生成されるインデックス生成のための情報となるデータで、図１に示すＲＡＭ２９上に生成される。本実施形態では、印刷データは５ページ分であり、各ページのインデックス７１〜７５と、それらのインデックスから生成される印刷データ全体を示すジョブインデックス７６により構成される。
【００３０】
図６は、本発明の第１の実施形態としてのインデックスを印刷データの一部として挿入する際の形式を示す図である。
【００３１】
図６は、情報処理装置１において図３のインデックス生成手段５６により生成されるデータストリームの例を示している。
【００３２】
図７は、本発明の第１の実施形態としての印刷データ例（図４）にインデックス例（図６）の挿入後の印刷データ例を示す図である。
【００３３】
図７は、情報処理装置１において図３のインデックス挿入手段５７により生成され、印刷データ一時保存ファイル５９に保存されるインデックス挿入後の印刷データファイルを示している。
【００３４】
図８は、本発明の第１の実施形態としての情報処理装置１の処理のフローチャートであり、図３に示す印刷データ検索手段５５、インデックス生成手段５６、インデックス挿入手段５７をフローチャートで示すものである。
【００３５】
図９は、本発明の第１の実施形態としての印刷装置２の処理のフローチャートであり、図６に示すインデックスに基づいた印刷解像度判定手段５１をフローチャートで示したものである。
【００３６】
図１３は、本発明の第１及び第２の実施形態としての解像度判定条件である。
【００３７】
以下、図８、図９に示すフローチャートを中心にして、本実施形態の動作を詳しく説明する。
【００３８】
情報処理装置１において、印刷データ生成手段５２により、印刷データの生成が行われ、その生成されたデータが印刷データ一時保存手段５３により印刷データ一時保存ファイル５８に一時保存される。印刷データ生成手段５２による印刷データの生成が完了すると、印刷データ一時保存手段５３により、印刷データ検索手段５５が呼び出され、図８に示す手順で印刷データの検索、インデックスの生成、印刷データへの挿入を行う。
【００３９】
はじめに、印刷データ検索手段５５は、印刷データ一時保存手段５３による呼び出しを受けた際に、印刷データ一時保存ファイル５８のファイル名を取得する。次に、印刷データ検索を行うために、印刷データ一時保存ファイル５８のオープンを行う（ステップＳ８０１）。次に図５に示すジョブインデックス７６を図２に示すＲＡＭ２３上に作成し、ページインデックスのための変数ｎを１に初期化する（ステップＳ８０２）。続いて１ページ目のページインデックス７１を同じくＲＡＭ２３上に生成する（ステップＳ８０３）。以上の初期化処理の完了後、実際に印刷データの検索を開始する。まず、印刷データの読み出しを図４の示す印刷コマンド単位により行う（ステップＳ８０４）。図４に示す印刷データから最初に読み出される印刷データは［ジョブ開始命令］となる。次に［印刷環境設定命令群］以下の印刷データがファイル終端まで読み出される。この印刷データ読み出しの過程において、まず、読み出した印刷データが、改ページかどうかのチェックを行う（ステップＳ８０５）。改ページでない場合は、続けて印刷データ終了かどうかの確認を行う（ステップＳ８０６）。印刷データ終了でない場合は、続けて描画オブジェクトかどうかの確認を行い（ステップＳ８０７）、描画オブジェクトである場合、ページインデックスの更新を行い（ステップＳ８０８）、再び印刷データの読み出しを行なう（ステップＳ８０４）。ステップＳ８０５において、印刷データが改ページである場合には、１ページ目のページインデックス７１の内容をジョブインデックス７６に反映し、ジョブインデックス７６の更新を行い（ステップＳ８０９）、更に次ページのためのページインデックスを生成するためのカウンタを更新し（ステップＳ８１０）、ステップＳ８０３以下の処理を実行する。ステップＳ８０６において、印刷データの終了である場合は、印刷データ一時保存ファイル５８内の印刷データに図５に示すジョブインデックス７６、ページインデックス７１〜７５を挿入するために、図６に示す印刷データストリームを生成し、生成した印刷データストリームを図７に示すように、ジョブインデックスデータを［印刷環境設定命令群］の直後に、各ページインデックスデータをＦＦ（改ページコード）の直後に挿入することにより、インデックス挿入後の印刷データファイルを印刷データ一時保存ファイル５９に生成する（ステップＳ８１１）。次に印刷データ転送手段５４によりインデックス挿入後の印刷データファイルをデータ転送手段６０を介して印刷装置２に送信する（ステップＳ８１２）。
【００４０】
一方、印刷装置２では、図９により、まずデータ転送手段６０を介して印刷データを取得する（ステップＳ９０２）。［ジョブ終了命令］の場合は、受信データの残りを通常解像度により出力し（ステップＳ９０８）、終了する。一方、［ジョブ命令終了］でない場合は、ジョブインデックスまたはページインデックスかどうかの判断をし（ステップＳ９０３）、ジョブインデックスまたはページインデックスのどちらでもない場合は、続けてステップＳ９０５の処理を行う。ジョブインデックスまたはページインデックスのどちらかであった場合は、図１３の解像度判定条件に合致するかどうか判定を行う（ステップＳ９０４）。解像度判定条件に合致する場合は、以降ジョブ終了命令を受信するまで低解像度で処理を実行する（ステップＳ９０７）。一方、低解像度印刷条件に合致しない場合は、改ページデータかどうかの判断を行う（ステップＳ９０５）。改ページでない場合は、再び、ステップＳ９０１に戻り処理を続行する。改ページであった場合は、通常解像度によりページ出力を行なった後で、ステップＳ９０１に戻り処理を続行する。
【００４１】
次に、図１０〜図１３、図１５を参照し第２の実施形態を説明する。
【００４２】
＜第２の実施形態＞
図１０は、本発明の第２の実施形態としてのハードウエア内部の機能構成図である。
【００４３】
図中、第２の実施形態の図１０のハードウエア内部の機能構成は、第１の実施形態の図３と基本的には同様であるが、情報処理装置１は、印刷処理手段として印刷データ生成手段１０２、印刷データ一時保存手段１０３、印刷データ転送手段１０４、印刷データ検索手段１０５、インデックス生成手段１０６、印刷データ一時保存ファイル１０７、インデックス挿入後の印刷データ一時保存ファイル１０８を備え、更に解像度判定手段１０１３、解像度低下コマンド生成挿入手段１０１４、解像度判定条件１０１５を備える。一方、印刷装置２は、データ転送手段１０１２を介して情報処理装置１から印刷データの一部として送付されてきたインデックスに基づいた解像度低下コマンド解釈手段１０１１を備えている。
【００４４】
第２の実施形態も第１の実施形態の処理と基本的には同様であるが、図１３の解像度判定条件は情報処理装置１に備えている。また、情報処理装置１の動作である図８のステップＳ８０６において、印刷データが終了した場合、ステップＳ８１１の代わりに以下の処理を行なう。
【００４５】
図１１は、本発明の第２の実施形態としての解像度低下コマンドである。
【００４６】
図１２は、本発明の第２の実施形態としての解像度低下コマンドの挿入後の印刷データ例を示す図である。
【００４７】
図１５は、本発明の第２の実施形態としての解像度低下の処理のフローチャートである。
【００４８】
図１５において、図１３に示す解像度判定条件１０１５を基に解像度判定手段１０１３により、解像度の低下があるかどうかの判定を行う（ステップＳ１５０１）。図１３に示す解像度低下の条件に合致した場合、解像度低下コマンド生成挿入手段１０１４により、図１１に示す解像度低下コマンドを図１２に示すように印刷データ一時保存ファイル内１０７の印刷データの［環境設定命令群］の直後に挿入し、解像度低下コマンド挿入後の印刷データ一時保存ファイルを生成する（ステップＳ１５０２）。この後、図８に示すステップＳ８１２に進み同様の処理を行なう。印刷データを受信した印刷装置２では、解像度低下コマンド解釈手段１０１１により、解像度低下コマンドを受信したことが判明した場合は、解像度低下状態での印刷処理を行う。受信しなかった場合は、通常の解像度の印刷処理を行う。前述の部分以外は第１の実施形態と同様なので説明を省略する。
【００４９】
次に、図１４を参照し第２の実施形態を説明する。
【００５０】
＜第３の実施形態＞
図１４は、本発明の第３の実施形態としてのハードウエア内部の機能構成図である。
【００５１】
図中、第３の実施形態の図１４のハードウエア内部の機能構成は、第２の実施形態の図１０と基本的には同様であるが、情報処理装置１は、印刷処理手段として印刷データ生成手段１４２、印刷データ一時保存手段１４３、印刷データ転送手段１４４、印刷データ検索手段１４５、インデックス生成手段１４６、印刷データ一時保存ファイル１４７、インデックス挿入後の印刷データ一時保存ファイル１４８、解像度判定手段１４１３、解像度低下コマンド生成挿入手段１４１４、更に解像度判定条件入手手段１４１５を備える。一方、印刷装置２は、データ転送手段１４１２を介して情報処理装置１から印刷データの一部として送付されてきたインデックスに基づいた解像度低下コマンド解釈手段１４１１、更に解像度判定条件送信手段１４１６を備えている。
【００５２】
第３の実施形態では、図１０に示す解像度判定条件１０１５の代わりに、情報処理装置１に解像度判定条件入手手段１４１５、そして印刷装置２に解像度判定条件送信手段１４１６を設け、印刷処理を１ジョブ開始毎に解像度判定条件を入手し、その条件を用いて解像度判定手段１４１３の処理を行う。前述の部分以外は第１及び第２の実施形態と同様なので説明を省略する。
【００５３】
尚、本発明は、ホストコンピュータ、インターフェース、印刷装置等の複数の機器から構成されるシステムに適用しても、複写機等の１つの機器から成る装置に適用しても良い。また、本発明はシステム或は装置にプログラムを供給することによって達成される場合にも適用できることはいうまでもない。この場合、本発明に係るプログラムを格納した記憶媒体が、本発明を構成することになる。そして、該記憶媒体からそのプログラムをシステム或いは装置に読み出すことにより、そのシステム或いは装置が、予め定められたし方で動作することが可能となる。
【００５４】
＜実施形態の効果＞
（１）第１の実施形態において、解像度判定条件を印刷装置２に備え、情報処理装置１でページインデックス７１〜７５及びジョブインデックス７６から印刷データストリームを生成し、その印刷データストリームのジョブインデックスデータを印刷データファイルの［印刷環境設定命令群］の直後に挿入し、各ページインデックスデータを印刷データファイルのＦＦ（改ページコード）の直後に挿入することにより、印刷データファイルの印刷時の解像度をページ単位で、印刷処理の実行と並行して判断し、変更することが可能となる。
（２）第２の実施形態において、解像度判定条件を情報処理装置１に備え、印刷データの解像度判定を印刷ジョブ単位で行い、印刷データファイルに印刷ジョブ単位で解像度低下コマンドを挿入したことにより、印刷装置２を印刷動作時の解像度判断から開放することが可能となり、印刷処理の効率を向上することができる。
（３）第３の実施形態において、情報処理装置１に解像度判定条件入手手段１４１５、そして印刷装置２に解像度判定条件送信手段１４１６を設け、印刷処理を１ジョブ開始毎に最新の解像度判定条件を入手したため、印刷装置２を印刷動作時の解像度判断から開放することが可能となり、印刷処理の効率の向上と印刷ジョブ単位の柔軟な解像度制御が実現する。
【００５５】
【発明の効果】
以上説明したように、本発明によれば、印刷装置により行われていた印刷解像度制御の判定処理の一部を情報処理装置で行うことにより、情報処理装置より受信した印刷データに応じてページイメージを生成する処理に先立って、迅速に印刷解像度を変更することが可能な印刷システム及びその制御方法の提供が実現する。
【００５６】
【図面の簡単な説明】
【図１】本発明を適用したハードウエアの構成図である。
【図２】本発明を適用したハードウエア内部のブロック構成図である。
【図３】本発明の第１の実施形態としてのハードウエア内部の機能構成図である。
【図４】本発明の第１の実施形態としての印刷データ一時保存ファイルに保存される印刷データ例を示す図である。
【図５】本発明の第１の実施形態としての印刷データの検索の結果生成されるインデックス例を示す図である。
【図６】本発明の第１の実施形態としてのインデックスを印刷データの一部として挿入する際の形式を示す図である。
【図７】本発明の第１の実施形態としての印刷データ例（図４）にインデックス例（図６）の挿入後の印刷データ例を示す図である。
【図８】本発明の第１の実施形態としての情報処理装置１の処理のフローチャートである。
【図９】本発明の第１の実施形態としての印刷装置２の処理のフローチャートである。
【図１０】本発明の第２の実施形態としてのハードウエア内部の機能構成図である。
【図１１】本発明の第２の実施形態としての解像度低下コマンドを示す図である。
【図１２】本発明の第２の実施形態としての解像度低下コマンドの挿入後の印刷データ例を示す図である。
【図１３】本発明の第２の実施形態としての解像度判定条件を示す図である。
【図１４】本発明の第３の実施形態としてのハードウエア内部の機能構成図である。
【図１５】本発明の第２の実施形態としての解像度低下の処理のフローチャートである。
【符号の説明】
１  情報処理装置
２  印刷装置
３  セントロＩ／Ｆ接続
２１  データ処理装置
２２  入力装置
２３  ＲＡＭ
２４  ＣＰＵ
２５  ＣＲＴ
２６  補助記憶装置
２８  ＲＯＭ
２９  ＲＡＭ
３０  ＣＰＵ
３１  コントローラ
３２  エンジン
５１  解像度判定手段
５２  印刷データ生成手段
５３  印刷データ一時保存手段
５４  印刷データ転送手段
５５  印刷データ検索手段
５６  インデックス生成手段
５７  インデックス挿入手段
５８  印刷データ一時保存ファイル
５９  インデックス挿入後の印刷データ一時保存ファイル
６０  データ転送手段６０
７１  １ページ目インデックス
７２  ２ページ目インデックス
７３  ３ページ目インデックス
７４  ４ページ目インデックス
７５  ５ページ目インデックス
７６  ジョブインデックス
１０２  印刷データ生成手段
１０３  印刷データ一時保存手段
１０４  印刷データ転送手段
１０５  印刷データ検索手段
１０６  インデックス生成手段
１０７  印刷データ一時保存ファイル
１０８  インデックス挿入後の印刷データ一時保存ファイル
１０１１  解像度低下コマンド解釈手段
１０１２  データ転送手段
１０１３  解像度判定手段
１０１４  解像度低下コマンド生成挿入手段
１０１５  解像度判定条件
１４２  印刷データ生成手段
１４３  印刷データ一時保存手段
１４４  印刷データ転送手段
１４５  印刷データ検索手段
１４６  インデックス生成手段
１４７  印刷データ一時保存ファイル
１４８  インデックス挿入後の印刷データ一時保存ファイル
１４１１  解像度低下コマンド解釈手段
１４１２  データ転送手段
１４１３  解像度判定手段
１４１４  解像度低下コマンド生成挿入手段
１４１５  解像度判定条件入手手段
１４１６  解像度判定条件送信手段
【図１】
0003919242.tif 000002
【図２】
0003919242.tif 000003
【図３】
0003919242.tif 000004
【図４】
0003919242.tif 000005
【図５】
0003919242.tif 000006
【図６】
0003919242.tif 000007
【図７】
0003919242.tif 000008
【図８】
0003919242.tif 000009
【図９】
0003919242.tif 000010
【図１０】
0003919242.tif 000011
【図１１】
0003919242.tif 000012
【図１２】
0003919242.tif 000013
【図１３】
0003919242.tif 000014
【図１４】
0003919242.tif 000015
【図１５】
0003919242.tif 000016